(57)【特許請求の範囲】
【請求項１】
全体の形状確保と構造体に固定するための基本構造部分（Ｃ１）と、人体や物体の通過を阻止するための面状の構造部分（Ｃ２）を有し、ベランダ、屋上、窓外側など建築物外部に設置される手摺において、該手摺が、外気取入れ部（８）と、取入れた外気を太陽エネルギーで加熱する空間部（７）と、加熱された空気の誘導部（９）を有する空気集熱パネルを備え、かつ、前記基本構造部分（Ｃ１）が柱（１）と下桟（３）および内部を通路とした上桟（２）を備え、面状の構造部分（Ｃ２）が空気の流通・集熱のための空間部（７）を内在させるように対峙して上桟（２）および下桟（３）に連結一体化された外側板（５）と内側板（６）を備え、下桟（３）に外気取入れ部（８）が設けられ、上桟（２）が前記空間部（７）と連通し加熱された空気の誘導部となっていることを特徴とする高機能手摺。
【請求項２】
全体の形状確保と構造体に固定するための基本構造部分（Ｃ１）と、人体や物体の通過を阻止するための面状の構造部分（Ｃ２）を有し、ベランダ、屋上、窓外側など建築物外部に設置される手摺において、該手摺が、外気取入れ部（８）と、取入れた外気を太陽エネルギーで加熱する空間部（７）と、加熱された空気の誘導部（９）を有する空気集熱パネルを備え、かつ、前記基本構造部分（Ｃ１）が柱１と内部を通路とした上桟（２）を備え、面状の構造部分（Ｃ２）が空気の流通・集熱のための空間部（７）を内在させるように外側板（５）と内側板（６）を含む６面体に構成されかつ下部に外気取入れ部を設けたボックス状体（Ｃ２´）からなり、該ボックス状体（Ｃ２´）が基本構造部分（Ｃ１）にはめ込まれるとともに、加熱された空気の誘導部としての上桟（２）と連通されていることを特徴とする高機能手摺。
【請求項３】
全体の形状確保と構造体に固定するための基本構造部分（Ｃ１）と、人体や物体の通過を阻止するための面状の構造部分（Ｃ２）を有し、ベランダ、屋上、窓外側など建築物外部に設置される手摺において、該手摺が、外気取入れ部（８）と、取入れた外気を太陽エネルギーで加熱する空間部（７）と、太陽光発電部（６´）と、加熱された空気を室内に向かって導くための誘導部（９）とを有する空気集熱・太陽発電パネルを備え、かつ前記基本構造部分（Ｃ1）が柱（１）と下桟（３）および内部を通路とした上桟（２）を備え、面状の構造部分（Ｃ２）が空気の流通・集熱のための空間部（７）を内在させるように対峙して上桟（２）および下桟（３）に連結一体化された透明体からなる外側板（５）と太陽電池を有している内側板（６）を備え、下桟（３）に外気取入れ部（８）が設けられ、上桟（２）が前記空間部（７）と連通し加熱された空気の誘導部となっていることを特徴とする高機能手摺。
【請求項４】
全体の形状確保と構造体に固定するための基本構造部分（Ｃ１）と、人体や物体の通過を阻止するための面状の構造部分（Ｃ２）を有し、ベランダ、屋上、窓外側など建築物外部に設置される手摺において、該手摺が、外気取入れ部（８）と、取入れた外気を太陽エネルギーで加熱する空間部（７）と、太陽光発電部（６´）と、加熱された空気を室内に向かって導くための誘導部（９）とを有する空気集熱・太陽発電パネルを備え、かつ前記基本構造部分（Ｃ１）が柱１と内部を通路とした上桟（２）を備え、面状の構造部分（Ｃ２）が空気の流通・集熱のための空間部（７）を内在させるように透明体からなる外側板（５）と太陽電池を有している内側板（６）を含む６面体に構成されかつ下部に外気取入れ部を設けたボックス状体（Ｃ２´）からなり、該ボックス状体（Ｃ２´）が基本構造部分（Ｃ1）にはめ込まれるとともに、加熱された空気の誘導部としての上桟（２）と連通されていることを特徴とする高機能手摺。
【請求項５】
外気取入れ部（８）が、花粉類の除去機構（８ａ）を備えている請求項１ないし請求項４のいずれかに記載の高機能手摺。
【請求項６】
花粉類の除去機構（８ａ）が、外気を衝突させて花粉類を分離する衝板（８２）と、分離された花粉類を捕集する液の収容部（８３）とを備えている請求項５に記載の高機能手摺。
【請求項７】
柱（１）が加熱された空気の誘導部の一部を構成している請求項１ないし請求項４のいずれかに記載の高機能手摺。
【請求項８】
請求項１ないし請求項７のいずれかに記載の高機能手摺（C）と、室内の所望個所に加熱空気を導くべく前記手摺の誘導部に連結されたダクト（Ｄ）と、ダクトに介在されたファン（Ｅ）と、前記手摺の空間部（７）で加熱された空気の温度に対応して前記ファン（Ｅ）の駆動を制御するための温度センサー（Ｈ）とを備えていることを特徴とする換気装置。
【請求項９】
請求項３と請求項４のいずれかに記載の高機能手摺（Ｃ）と、室内の所望個所に加熱空気を導くべく前記手摺の誘導部に連結されたダクト（Ｄ）と、ダクトに介在され手摺内側の太陽電池（６´）を駆動電源とするファン（Ｅ）とを備えていることを特徴とする換気装置。
【発明の詳細な説明】
【０００１】
【発明の属する技術分野】
本発明は建築物のベランダ、屋上、窓などに設置される高機能手摺およびこれを利用した換気装置に関する。
【０００２】
【従来の技術】
戸建住宅、マンション、アパートなどの集合住宅などにおいては、室外に張り出したベランダが設けられ、洗濯物の物干しなどの屋外作業のためのスペース、動植物を生育するスペース、日光浴、天体観測のためのスペース、物をストックするスペースなどさまざまな形態で利用されている。
【０００３】
こうしたベランダは前方が開放されているので、人や物体が誤って落下する危険を防止するため、端領域に手摺が設置されている。かかるベランダ手摺は、全体の形状の確保とベランダを構成する構造体に固定するための基本構造部分と、人体や物体がベランダの内から外へ通り抜けないようにする面構造部部分から構成されているが、いずれにしても従来の手摺の機能は、もっぱら人体や物体の落下危険防止であった。
【０００４】
一方、住宅の居住空間や事務・作業空間をより快適な温度環境とするために、建築の高断熱、高気密化が進んでおり、その結果、押入れ、クローゼット、浴室、その他の窓などの空気流通手段のないスペースにおける結露という新たな問題が発生している。この結露は、建材の腐食のみならず、カビ・ダニなどの発生を招き、人の健康に悪影響を与える。
【０００５】
この対策として、従来、種々の換気装置、換気システムが提案されているが、単純に外部空気を取り入れても、その空気が室温よりも低い温度では結露を防止できず、その空間の室温より高温な空気を対流させなければならない。そのためには、ボイラーやヒーターなどの別の熱源とエネルギー機器を必要する。そのため、高価で、構造が大型、複雑になったり、スペースをとったりするなどの問題があった。
また、外部空気を換気用として室内に導入した場合、杉などの植物の花粉が室内に取り込まれることにより花粉症を引き起こしたりする危険があり、こうした花粉類を除去するには、これまた特別な機器を必要とし、ますます大型、複雑、高価な装置やシステムになるという問題があった。
【０００６】
【発明が解決しようとする課題】
本発明は前記のような問題点を解消するためになされたもので、その基本的な目的は、設置される場所の特性（太陽光が当たる・外気に接する）を利用して、落下危険防止の機能だけでなく、結露防止などのために室温よりも高温の改質された空気を特別な熱源を要さずに連続的に生成して室内に送給することができる構造簡易な高機能手摺と換気装置を提供することにある。
【０００７】
また、本発明の第２の目的は、改善高温空気の生成と併せて太陽光発電を行って室内供給用のファンを経済的に駆動することができる高機能手摺と換気装置を提供することにある。
本発明の第３の目的は、さらに外部空気の高温化に加え、特別な機器を要さずに花粉や塵埃を同時に除去して換気に適した空気に改善して室内に供給することができる構造簡易な高機能手摺と換気装置を提供することにある。
【０００８】
また、本発明の第４の目的は、改善高温空気の室内への供給制御を自動的に行うことができる高機能手摺と換気装置を提供することにある。
本発明による「手摺」は、ベランダ（テラス、バルコニーなどの露台を包含する）に好適であるほか、屋上、窓などに対するものを含んでいる。本発明で得られる加熱空気は主として結露防止、換気に用いられるが、暖房さらには乾燥用や燃焼用空気などとしても広く利用できる。
【０００９】
【課題を解決するための手段】
上記第１の目的を達成するため本発明は、全体の形状確保と構造体に固定するための基本構造部分と、人体や物体の通過を阻止するための面状の構造部分を有し、ベランダ、屋上、窓外側など建築物外部に設置される手摺において、該手摺が、外気取入れ部と、取入れた外気を太陽エネルギーで加熱する内部空間部と、加熱された空気の誘導部を有する空気集熱パネル備え、かつ、前記基本構造部分が柱と下桟および内部を通路とした上桟を備え、面状の構造部分が空気の流通・集熱のための空間部を内在させるように対峙して上桟および下桟に連結一体化された外側板と内側板を備え、下桟に外気取入れ部が設けられ、上桟が前記空間部と連通し加熱された空気の誘導部となっていることを特徴としている。
また、本発明は嵌め込み型の場合を含み、すなわち、全体の形状確保と構造体に固定するための基本構造部分と、人体や物体の通過を阻止するための面状の構造部分を有し、ベランダ、屋上、窓外側など建築物外部に設置される手摺において、該手摺が、外気取入れ部と、取入れた外気を太陽エネルギーで加熱する内部空間部と、加熱された空気の誘導部を有する空気集熱パネル備え、かつ、前記基本構造部分が柱と内部を通路とした上桟を備え、面状の構造部分が空気の流通・集熱のための空間部を内在させるように外側板と内側板を含む６面体に構成されかつ下部に外気取入れ部を設けたボックス状体からなり、該ボックス状体が基本構造部分にはめ込まれるとともに、加熱された空気の誘導部としての上桟と連通されていることを特徴としている。
【００１０】
第２の目的を達成するため本発明は、全体の形状確保と構造体に固定するための基本構造部分と、人体や物体の通過を阻止するための面状の構造部分を有し、ベランダ、屋上、窓外側など建築物外部に設置される手摺において、該手摺が、外気取入れ部と、取入れた外気を太陽エネルギーで加熱する内部空間部と、太陽光発電部と、加熱された空気を室内に向かって導くための誘導部を有する空気集熱・太陽発電パネルを備え、かつ、かつ前記基本構造部分が柱と下桟および内部を通路とした上桟を備え、面状の構造部分が空気の流通・集熱のための空間部を内在させるように対峙して上桟および下桟に連結一体化された透明体からなる外側板と太陽電池を有している内側板を備え、下桟に外気取入れ部が設けられ、上桟が前記空間部と連通し加熱された空気の誘導部となっていることを特徴としている。
また、本発明は嵌め込み型の場合を含み、すなわち、全体の形状確保と構造体に固定するための基本構造部分と、人体や物体の通過を阻止するための面状の構造部分を有し、ベランダ、屋上、窓外側など建築物外部に設置される手摺において、該手摺が、外気取入れ部と、取入れた外気を太陽エネルギーで加熱する内部空間部と、太陽光発電部と、加熱された空気を室内に向かって導くための誘導部を有する空気集熱・太陽発電パネルを備え、かつ、前記基本構造部分が柱と内部を通路とした上桟を備え、面状の構造部分が空気の流通・集熱のための空間部を内在させるように透明体からなる外側板と太陽電池を有している内側板を含む６面体に構成されかつ下部に外気取入れ部を設けたボックス状体からなり、該ボックス状体が基本構造部分にはめ込まれるとともに、加熱された空気の誘導部としての上桟と連通されていることを特徴としている。
【００１１】
削除
【００１２】
削除
【００１３】
第３の目的を達成するため本発明は、外気取入れ部に、花粉類の除去機構を備えていることを特徴としており、花粉類の除去機構は、たとえば、外気を衝突させて花粉類を分離する衝板と、分離された花粉類を捕集する液の収容部とを備えているものが挙げられる。
【００１４】
第４の目的を達成するため本発明の換気装置は、既述したいずれかの手摺と、室内の所望個所に加熱空気を導くべく前記手摺の誘導部に連結されたダクトとダクトに介在されたファンと、前記手摺の空間部の加熱された空気の温度に対応して前記ファンの駆動を制御するための温度センサーとを組み合わせたことを特徴としている。
【００１５】
また、本発明の換気装置は、既述した太陽電池を備えたいずれかの手摺と、室内の所望個所に加熱空気を導くべく前記手摺の誘導部に連結されたダクトと、室内ダクトに介在され前記太陽電池を駆動電源とするファンとを組み合わせたことを特徴としている。
【００１６】
【発明の実施の形態】
以下本発明の実施態様について添付図面を参照して説明する。
図１は本発明による高機能手摺をベランダに適用した換気装置（給気装置）の一例を示している。
Aは建物の室内部分、Bは建物の室内部分Aの外部に張出し形成されたベランダ本体であり、盤状をなしている。ベランダ本体Bと室内部分Aは開閉窓Fで仕切られている。
【００１７】
Cは本発明による高機能手摺であり、全体の形状の確保とベランダ本体を構成する構造体に固定するための基本構造部分C1と、人体や物体の通過を阻止する面状構造部分C2から構成されているが、本発明においては、面状構造部分C2あるいはこれと基本構造部分C1が空気を包含できる空間を内在させて外気加熱機能を具備させた中空パネル構造になっており、面状構造部分C2または基本構造部分C1には外気取入れ部を有し、これから取入れられた外気が前記空間で太陽の熱エネルギーを受けて外気温度よりも高温に加熱されるようになっている。
【００１８】
そして、基本構造部分C1は特に上部領域が前記空間に連通する通路に構成され、面状構造部分C2内で加熱昇温された改質空気が誘導され、基本構造部分の一部それ自体または特設の取り出し部C3（誘導部）を介して室内部分Aへ導かれるようになっている。
室内部分Aには取り出し部C3と接続したダクト（誘導配管）Dが設けられ、前記ダクトDには、シロッコファンで代表されるファンEが設置され、結露等の除去を必要とする部位A１、A２あるいは換気を必要とする部位Ａ３に加熱昇温された改質空気が放出されるようになっている。
部位A1としてはたとえば洗面所、トイレ、浴室など、部位A２としてはたとえば押入れやクローゼットなど、部位A３としてはたとえば居間、事務室、作業室などが挙げられる。
【００１９】
また、空気の温度が最も高くなる部位に対応する面状構造部分C2の適所には温度センサーＨが配され、その配線ｈは取り出し部C3内あるいは外部から室内に導かれ、ファンEに対する駆動スイッチを含むコントローラＪに接続され、面状構造部分C2内の空気が一定温度レベルになったときに自動的にファンEを駆動させ、一定温度レベル以下になったときに自動的にファンEの駆動を停止させるようになっている。
【００２０】
次に、前記高機能手摺Ｃの具体的構成を説明する。
〔第一実施例〕−全体一体型
図２ないし図４は外気加熱機能を有する面状構造部分Ｃ2を中空状のパネルとし、基本構造部分Ｃ1と一体化して高機能手摺Cを構成した全体一体型を示している。
１は下端がベランダ本体Bに固設された柱、２は柱１，１間または柱１と建物壁間に渡された上桟、３は柱１，１間または柱１と建物壁間に渡された下桟、４は上桟２と下桟３間に連結された縦桟であり、これらにより基本構造部分C１が構成されている。上桟２や柱１は生成した加熱空気の保温のため、外面及び/又は内面が保温材で被覆されることも好都合である。
【００２１】
５は前記基本構造部分C１の前面（反ベランダ側）に張設された外側板、６は前記基本構造部分C１の背面（ベランダ側）に張設された内側板であり、それら外側板５と内側板６と前記基本構造部分C１により上下、前後及び左右の６面からなる外気加熱機能を有する面状構造部分C2が構成され、外側板５と内側板６の間に空気加熱用空間７が形成されている。
【００２２】
前記外側板５と内側板６のうち、外側板５は太陽熱と太陽光を効率的に取り入れるために、好ましくは、ガラスあるいは塩ビやポリカーボネイトで代表される合成樹脂あるいは複合材料などの光エネルギーの透過性の良い材料で構成されており、内側板６板は室内の明るさが減少することを回避する要求がある場合を除いて特には通光性を必要としないので、吸熱性のよい任意の材料で構成されてよい。
なお、外側板５と内側板６のいずれか１方あるいは双方は、平板のほか角形，台形状、波状などをなした凹凸部を有していてもよい。
【００２３】
前記基本構造部分C１もしくは面状構造部分Ｃ2は、下部領域に、前記空気加熱用空間７に通じる外気取入れ部８を有している。
該外気取入れ部８は、この実施例では、下桟３に設けられており、花粉類（花粉及び粉塵）除去機構８aを有している。
【００２４】
詳述すると、外気取入れ部８は、図４（ｂ）のように、下桟３の下面に形成した１個以上の穴やスリット状の開口８０からなり、ここに花粉類除去機構８aとして、フィルター８１を回動自在な支えを介して交換可能に取り付けており、さらに下桟３の内部には、フィルター８１を通過した外気を衝突させてこれに含まれる花粉類を自然落下分離する衝板８２をフィルター８１と対峙させて設けている。
そして、開口８０の外側には、衝板８２との衝突で分離された花粉類を捕集するための液（通常水）を満たした溝状の液収容部８３が設けられており、その液収容部８３には給排水部８４が接続されている。
【００２５】
また、基本構造部分C１の上部領域には空気加熱用空間７で昇温された加熱空気を室内に向けて導くための誘導部(通路)９を有している。誘導部９は前記取り出し部C３として機能する。
加熱空気の誘導部９は、この例では、上桟２と柱１に設けられている。すなわち、上桟２は内部が中空状となっており、下部の開口９０が前記空気加熱用空間７に連通している。そして上桟２の端部は内部を中空通路１０とした柱１に通じており、その柱１は直接かまたは別の配管によって室内のダクトDに接続されている。ダクトDとしては、簡便にはボイド管・塩ビ管・スチール管・ステンレス管等のパイプが用いられる。
【００２６】
図５は第一実施例の別の態様を示しており、外側板５と内側板６の下部が下桟３を前後から挟むように固定されている。
他の構成は第一実施例と同様であるから、同じ部分に同符号を付し、説明は省略する。
【００２７】
図６は第一実施例の別の態様を示しており、外側板５と内側板６の下部を下桟３挟むように固定していることは図５の場合と同じであるが、外側板５と内側板６の少なくともいずれか(図面では双方)が板厚方向に凹凸部を有しており、下桟３の外面に凹部５００，６００が接することにより下桟３の外面とこれから離間した凸部５０１，６０１とによって下方に開口した外気取入れ部８を形成している。下桟３の底面にプール状の液収容部８３を形成している。
なお、上桟２の外面との間に凹凸部による隙間が形成されるため、これを塞ぐべく溝形状の竿木２aをシリコンなどのシール材を介して冠着している。この竿木２aは加熱空気で熱くなった上桟２を直接手などに触れさせない利点もある。
【００２８】
前記各実施例及び後述する各実施例において、外側板５と内側板６の上下桟２，３との一体化形式は任意である。
図７はそのいくつかの例を示しており、(ａ)は上桟２と下桟３の幅方向両側にL状の段部２００，３００を形成し、それら段部２００，３００に外側板５と内側板６の端部を当接させ、接着あるいはビスなどの固定要素とシール材を併用して固定している。（ｂ）は(ａ)の構成に加えて押板２０２，３０３を外側板５と内側板６の端部外面に当接させて、接着あるいはビスなどの固定要素で固定している。（ｃ）は上桟2と下桟３の幅方向両側に嵌め込み溝２０１，３０１を形成し、それら嵌め込み溝２０１，３０１に外側板５と内側板６の端部をシール材を介して差し込み固定している。
【００２９】
なお、この一体型の場合、あらかじめ柱１、上桟２、下桟３と外側板５と内側板６で中空状のパネルとしたものをベランダ本体Ｂや建築本体へ固定してもよい。また、外気取入れ部８は必ずしも下面部位に限定されず、側面部位であってもよい。それは下桟３の側面に開口を形成したり、あるいは外側板５と内側板６の双方または１方に開口を形成することで実現できる。
【００３０】
ベランダに対する据付けと加熱空気の室内への誘導は種々の形態を採用できるもので、図８ないし図１０はその例を示している。
図８は柱１，１をベランダ本体Ｂに立設し、柱１，１に上桟2と下桟３を横架し、それら上桟2と下桟３および柱１，１に外側板５と内側板６を張設して空気加熱用空間７を形成している。そして、上桟2と下桟３の両端を建物の壁面Ｂ’に固定し、上桟２を取り出し部Ｃ3として室内に誘導している。
【００３１】
図９は柱１をベランダ本体Ｂと建物の上部Ｂ”間に立設し、上桟2と柱1を取り出し部C3として室内に導いている。
図１０は柱１，１をベランダ本体Ｂに立設し、上桟２の適所または支柱１に屈曲延長部１１を設け、この屈曲延長部１１を取り出し部C3として室内に誘導している。
この場合、屈曲延長部１１に支持具１１０を取り付けることにより物干し竿類の支持も行える利点がある。
【００３２】
〔第二実施例〕＝支柱間部分型
図１１と図１２は本発明による高機能手摺Cの第二実施例を示している。この実施例は、外気加熱用の面状構造部分をあらかじめ基本構造部分Ｃ1とは別体に作り、基本構造部分Ｃ1、すなわち、図１１（ａ）のように柱１と上桟2と下桟３で囲まれた空間か、あるいは図１１（ｂ）のように柱１と上桟2及びベランダ本体Ｂで囲まれた空間に組み込んで高機能手摺Cを構成している。
【００３３】
この実施例の高機能手摺Cは、外部から取入れた空気の包含、形状の確保および基本構造部分との結合を図るために、外気加熱用の面状構造部分が上下、左右、前後の６面を有する箱状体（ボックス状パネル）Ｃ2’からなる。すなわち、天板１２と底板１３と外側板５と内側板６と左右端板１４，１５により構成されている。
通常、箱状体Ｃ2’の巾はベランダの開口巾または柱間の巾とし、高さは上桟２と下桟３間の高さ以下又は上桟２とベランダ本体Ｂ間の高さ以下とし、厚みは包含空気の量を最大限に確保できつつベランダスペースの利用を妨げない範囲（たとえば10〜30ｃｍ位）とする。
【００３４】
そして、天板１２には短筒状の接続部体１２０を数箇所突設し、底板１３には外気取入れ部８を設け、さらに好ましくは内部に花粉類除去機構８aを配している。接続部体１２０は加熱空気の導路を兼ねている。
前記状体Ｃ2’は柱１と上桟２と下桟３（またはベランダ本体）で囲まれた空間にはめ込まれ、閉鎖断面状の上桟２に設けた開口周辺に接続部体１２０で連結され、底板１３と左右端板１４，１５が支持部体１６，１６で下桟３及び柱１，１に連結されている。なお、左右端板１４，１５は支持部体を介してでなく、柱1，１に密接するように構成されてもよい。
【００３５】
図１３と図１４は第二実施例の別の態様を示している。この態様も外気加熱用面状構造部部分が天板１２と底板１３と外側板５と内側板６と左右端板１４，１５からなる箱状体Ｃ2’として構成されているが、天板１２には閉鎖断面状の上桟２に設けた数個の開口に連通する通路(穴または溝)１２３が設けられている。また、外気取入れ部８が、外側板５と内側板６の双方または１方に形成されており、好ましくは内部に花粉類除去機構８aを配している。
前記箱状体Ｃ2’は柱１と上桟２と下桟３で囲まれた空間にはめ込まれ、上桟２に設けた開口に通路１２３が整合するようにシール材を介して密接され、底板１３と左右端板１４，１５は下桟３及び柱1，１に支持されている。
【００３６】
前記第二実施例の箱状体Ｃ2’は、好適には天板１２と底板１３と左右端板１４，１５が金属材で外殻として構成され、外側板５と内側板６は第一実施例と同じ材料で構成され、それら外側板５と内側板６は図７で例示したように段部形式、溝嵌め込み形式などによって外殻に一体化される（図７の上桟2と下桟３が天板１２と底板１３に相当する）。
他の構成は第一実施例と同様であるから説明は援用する。また、基本構造部分のベランダへの据付方式と加熱空気の誘導方式は第一実施例の図８に示すものと同じであるから説明は援用する。
【００３７】
第二実施例において、外気取入れ部８と花粉類除去機構８aは種々の態様を採用しうる。
図１５はその例を示しており、(ａ)は底板１３の底面に開口８０を設け、ここにフィルター８１を回動自在な支えを介して交換可能に取り付けており、内部には、フィルター８１を通過した外気を衝突させて外気に含まれる花粉類を分離する衝板８２をフィルター８１と対峙させて設けている。
そして、開口８０の外側には、衝板８２との衝突で分離された花粉類を捕集するための溝状の液収容部８３が設けられており、その液収容部８３には給排水部８４が接続されている。
【００３８】
図１５(ｂ)では底板１３の少なくとも片側の側面に開口８０を設け、ここにフィルター８１を回動自在な支えを介して交換可能に取り付けており、内部には、フィルター８１を通過して上昇する外気を衝突させて花粉類を分離する衝板８２を設けている。そして、底板１３の底部には、衝板８２との衝突で分離された花粉類を捕集するための液収容部８３が設けられており、その液収容部８３には給排水部８４が接続されている。
【００３９】
図１５(ｃ)では外側板５と内側板6の少なくとも１方に凹凸部を有するものが用いられ、底板１３の側面に凹部５００，６００が接することにより底板１３の側面とこれから離間した凸部５０１，６０１とによって外気取入れ部8を形成し、底板１３の底面に水の収容部８３を形成している。そして、内方には衝板８２が設けられている。
【００４０】
第一実施例及び第二実施例において、高機能手摺Cは必ずしも垂直である場合に限定されない。図１６のように太陽光とできるだけ直交状になるようにすべく、傾斜状に据付けてもよい。この場合、ベランダ先端と高機能手摺Cの下部間にはパネル、ネット，格子などからなる落下防止体Ｇが付設される。
さらに、第二実施例は外気加熱用の面状構造部分をあらかじめ基本構造部分Ｃ1とは別体に構成するので、基本構造部分Ｃ1が柱部と上桟部と下桟部とを有しているコンクリート製やモルタル製である場合も、該基本構造部分Ｃ1に窓状の開口が設けられている場合には、その窓状の開口に箱状体Ｃ2’を嵌め込み固定し、上桟部を中空構造に変更するかあるいは中空構造の上桟を設けて上桟部か上桟に箱状体Ｃ2’の天板１２を連通させることで高機能手摺Ｃとし得る。これも本発明に含まれるのは勿論であり、したがって、既述した柱、上桟、下桟は、柱部、上桟部、下桟部を包含する概念である。
【００４１】
〔第三実施例〕＝太陽光発電型
図１７と図１８は外気の加熱と同時に太陽光発電を行って主としてファンＥの駆動電力をまかなえるようにした高機能手摺Cを示している。
この第三実施例における高機能手摺Cの構成は、既述した第一実施例及び第二実施例と基本的に同じであり、第一実施例及び第二実施例と組み合わせ使用されるが、太陽電池部すなわち集積型の太陽電池を表面に有するパネル状の内側板6’用いられることが特徴である。これは、内側板それ自体が太陽電池である場合と、太陽電池とバックアップ板との積層体である場合を含む。
【００４２】
かかる内側板6’は通常、複数枚のモジュールとして構成され、接続線ｈ’によって順次結線され、端末の配線ｈは取り出し部C3を通してあるいは外部から室内に導かれ、接続器、インバーター、分電盤、スイッチ及びマイクロコンピューターなどを含むコントローラーＭを介してファンＥの駆動部と電気的に接続されている。また、あわせて温度センサーＨがコントローラＭに接続され、一定のプログラムでファンＥの発停を行うようになっている。
【００４３】
すなわち、たとえば、▲１▼面状構造部分C２又はＣ２’内の空気温度が室内温度よりも高い一定温度レベルに達したか否か、▲２▼太陽電池による発電量が十分か否かを判断し、▲１▼▲２▼がyesであったときには内側板6’による電力でファンＥを駆動し、▲１▼がnoであるときにはファンＥの駆動を停止させておく。また、▲１▼がyesであるが▲２▼がnoであるときには一般用の電力でファンＥを駆動する。
【００４４】
本発明の高機能手摺は前記実施例のようにベランダ用に限定されるものではなく、屋上及び/又は窓の高機能手摺として適用される。
図１９は屋上Kの端部と窓Ｌの近傍に設けている。高機能手摺それ自体の構成は第一実施例、第二実施例のいずれでもよく、したがって説明は援用する。
図２０は屋上Kへの設置形式を例示しており、(ａ)は屋上Kの端部上面に基本構造部分Ｃ1を垂直に立設しており、（ｂ）は屋上Kの端部壁面に柱などからなる基本構造部分Ｃ1’を設け、これで高機能手摺を支えている。（ｃ）は太陽光を効率よく受光すべく屋上Kの端部に柱などの基本構造部分Ｃ1’を傾斜状に立設して高機能手摺を傾斜状に配置させている。そして、屋上Kにおいては、上方に柱の上端を支える構造物がないため、加熱空気誘導部９としての上桟2の適所に屈曲延長部１１を設け、この屈曲延長部１１を室内に誘導するようにしている。
【００４５】
また、図２１は窓Ｌへの設置形式と加熱空気の誘導形式の例を示しており、(ａ)は壁面に柱などの基本構造部分Ｃ1’を設け、これで高機能手摺の上桟2と下桟3を支え、上桟２に対する基本構造部分Ｃ1’を通路構造の取り出し部Ｃ３や誘導部９として、加熱空気を室内に導くようにしている。（ｂ）は壁面に基本構造部分Ｃ1’を設けて高機能手摺の下桟３を支え、上桟２を窓Ｌより上方の庇など張出し部Ｎにいたる柱状の基本構造部分Ｃ1で支えるとともに、基本構造部分Ｃ1を通路構造の取り出し部Ｃ３や誘導部９として、加熱空気を室内に導くようにしている。（ｃ）は壁面に基本構造部分Ｃ1’を設けて高機能手摺の下桟３を支え、屈曲部１１を有する通路構造の柱からなる基本構造部分Ｃ1で上桟２を支えるとともに加熱空気を室内に導くようにしている。
【００４６】
図２２は、第三実施例の内側板6’を太陽発電パネル(太陽電池パネル)とした高機能手摺を屋上及び/又は窓に設置した例を示している。もちろん、屋上に設置するものだけあるいは窓に設置するものだけを太陽発電パネルタイプとしてもよい。設置形式や加熱空気の誘導形式は前記図２０，２１に示したものと同様である。
【００４７】
なお、本発明は、温度センサーＨを換気条件が整ったかどうかの検知・サイン手段として利用し、ファンＥの発停は手動で行ってもよい。
本発明の高機能手摺は、手摺延べ面積が広い場合、その一部に設けられる場合を含む。
【００４８】
【実施例の作用】
第一実施例においては、基本構造部分Ｃ1によってベランダ本体の前部に固設され面状の構造部分Ｃ２が人体や物体の通過を阻止するため、人体や物体の落下危険防止という元来の機能を果たすことができるのはもちろん、面状の構造部分Ｃ２が所定の間隔で対峙する外側板５と内側板６との間に空気を包含するに十分な集熱用の空間部７を有し、かつ下部には花粉類除去機構８ａを内在させた外気取入れ部８を有している。
【００４９】
このため、外気が外気取入れ部８の開口８０から侵入すると、フィルター８１により花粉、塵埃などの異物が捕集される。さらに、フィルター８１で捕集し得なかった少量の花粉類は、空間部７の上流側に設置されている衝板８２に花粉類が混在した空気が衝突することにより分離され、花粉類は空気よりも重いため下方の水が少量貯められている収容部８３に自重落下し、水に溶解することで除去される。収容部８３の水は給排水部によって簡単に交換することができる。
【００５０】
このように花粉や塵埃が除去された空気は、衝板８２を迂回して空間部７に入り、外側板５を通して空間部７に太陽熱と太陽光が集熱されるため加熱される。これにより花粉類の除去され加熱された換気に適した良質な空気となり、上昇気流となって空間部７から上桟２の通路に導かれ、上桟２それ自体から直接か、上桟２及び通路構造の柱１などの誘導部９や取り出し部Ｃ３を経て室内のダクトＤに導かれ、室内空間に供給される。こうして室温より高温で花粉類が除去された空気を対流させることで花粉症も引き起こすことなく、効果的に結露の防止や換気を行うことができる。
【００５１】
空気は上昇気流としての移動エネルギーは有するが、これだけの力では全空気を結露防止や換気を必要とする空間に誘導することは困難であるため、ファンＥが駆動され、室内に放出される。
ファンＥの発停は使用者が駆動スイッチを操作することで行ってもよいが、空間部７に温度センサーＨを配してファンの駆動部と接続しておいたときには、空気温度が温度センサーＨによって検出され、室温よりも高い設定した所定温度に達すると、ファンＥの駆動スイッチが自動的にオンとなり、ファンが駆動され室内に放出される。また生成された空気が所定温度以下になったときには、ファンＥの駆動スイッチが自動的にオフとされ、室内への供給が停止される。
【００５２】
従来、暖房用の加熱空気を生成する手段として、屋根設置型のソーラーシステムがあるが、このシステムは、第一に、屋根上のソーラーパネルからの空気の引き込みに大きな配管設備が必要となり、空気の温度のロスを防止する工作も必要であり、メンテナンスも大変である。第二に、マンションやオフィスビルの屋根から個々の居住空間や事務・作業空間へ高温な空気の均等な分配とその制御は大変な設備工事となる。第三に、屋根上のソーラーパネルをベランダに設置しようとしても、ベランダ本来の目的である屋外作業・ストック・動植物を飼う等のスペースが減少したり、火災等の災害時避難の妨げとなったりし、また、共同住宅においてはベランダが共有部分とされ、居住者の個人的都合で形状変更や物置等の障害物の設置が規制されることが多いので、実現が困難である。
【００５３】
これに対して、本発明は建物に新たな換気専用の構造物を設置するのでなく、ベランダや屋上、あるいは窓の一部をなすものとして欠かせない構造物でかつ設置される状況が太陽光が当たりかつ外気に接する特性を持つ手摺を利用して、改質された温空気を連続的に生成し、それを室内に導いて放出するので、設備の大型化、複雑化を招かず、新設の建物、既設の建物を問わず、比較的安価に実施することができる。
【００５４】
第一実施例は、手摺の基本構造部分Ｃ１を、集熱のための箱状空間部７を画成する構成部分 (左右面、上下面)として利用し、また上桟２あるいは柱１を空気誘導手段として利用するので、外側板５と内側板６を張設する簡単な工事で安価に実施できる。
【００５５】
第二実施例によれば、加熱された空気が空間部７から接続部１２０または開口１２３から上桟２に導入されることを除いて前記第一実施例と基本的には同じ作用が得られるが、基本構造部分Ｃ1と別個に、外気取入れ部８や花粉類除去機構８ａを備えた６面体の箱状体Ｃ2’を使用して基本構造部分Ｃ1の空間にはめ込むことで高機能化を得るので、外気取入れ部８を下面、側面など自由に選定して設けることができ、また、箱状体からなる部体を工場で生産しておくことで、現場で能率よく施工できる。さらに、破損したり性能が低下した場合、その箱状体Ｃ2’を交換することで機能を再生することができる。
【００５６】
第三実施例によれば、内側板６それ自体あるいはこれをバックアップ材として太陽光発電パネルにすることにより、換気用の改質空気と電気を同時に作り出すことができ、発生した電気はファンＥの稼動電気として利用されるため、電気料が節減され経済的なものとなる。
【００５７】
【発明の効果】
以上説明した本発明の請求項１の手摺によるときには、本来の落下防止機能に止まらず、建物で太陽光のあたりやすい条件に恵まれた特性を活かして外部空気を改善し加熱された空気を連続的に生成して室内の必要か所に供給することができ、しかも建築物の外観、構造を変更することなく比較的簡易に実施できるというすぐれた基本的効果が得られる。
しかも、基本構造部分Ｃ１が柱１と下桟３および内部を通路とした上桟２を備え、面状の構造部分Ｃ２が空気の流通・集熱のための空間部７を内在させるように対峙して上桟２および下桟３に連結一体化された外側板５と内側板６を備え、下桟３に外気取入れ部８が設けられ、上桟２が前記空間部７と連通し加熱された空気の誘導部となっており、手摺の基本的構造部分を加熱空気を生成する空間部を得るための部材として利用し、下桟を外気の導入のための手段、上桟を生成された加熱空気を集めて誘導する部材としておのおの利用するので、新たな構造物をほとんど追加せずに、前記効果を経済的に達成させることができるというすぐれた効果が得られる。
請求項２の手摺によれば、前記基本的効果に加え、基本構造部分Ｃ１と別個に、外気取入れ部８を備えた６面体の箱状体Ｃ２´を使用して基本構造部分Ｃ１に囲まれた空間にはめ込むことで高機能化を得るので、かかる箱状体を工場で生産しておくことで、現場では簡単な嵌め込み作業で能率よく施工でき、さらに、破損したり性能が低下した場合、その箱状体Ｃ２´を交換することで機能を再生することができるなどのすぐれた効果が得られる。
【００５８】
請求項３によれば、本来の落下防止機能に止まらず、建物で太陽光のあたりやすい条件に恵まれた特性を活かし、太陽の熱的エネルギーと光エネルギーの双方により加熱空気と電気を連続的に生成することができ、特別な電力を特に要さずに結露防止や換気を行う省エネルギー型の高性能手摺を提供できるというすぐれた効果が得られる。
しかも、基本構造部分Ｃ１が柱１と下桟３および内部を通路とした上桟２を備え、面状の構造部分Ｃ２が空気の流通・集熱のための空間部７を内在させるように対峙して上桟２および下桟３に連結一体化された透明体からなる外側板５と太陽電池を有している内側板６を備え、下桟３に外気取入れ部８が設けられ、上桟２が前記空間部７と連通し加熱された空気の誘導部となっており、手摺の基本的構造部分を加熱空気を生成する空間部を得るための部材として利用し、下桟を外気の導入のための手段、上桟を生成された加熱空気を集めて誘導する部材としておのおの利用するので、新たな構造物をほとんど追加せずに、前記基本的効果を経済的に達成させることができるというすぐれた効果が得られる。
【００５９】
削除
【００６０】
請求項４によれば、本来の落下防止機能に止まらず、建物で太陽光のあたりやすい条件に恵まれた特性を活かし、太陽の熱的エネルギーと光エネルギーの双方により加熱空気と電気を連続的に生成することができ、特別な電力を特に要さずに結露防止や換気を行う省エネルギー型の高性能手摺を提供できるというすぐれた効果が得られる。
しかも、基本構造部分Ｃ１が柱１と内部を通路とした上桟２を備え、面状の構造部分Ｃ２が空気の流通・集熱のための空間部７を内在させるように透明体からなる外側板５と太陽電池を有している内側板６を含む６面体に構成されかつ下部に外気取入れ部を設けたボックス状体Ｃ２´からなり、該ボックス状体Ｃ２´が基本構造部分Ｃ1にはめ込まれるとともに、加熱された空気の誘導部としての上桟２と連通されており、基本構造部分Ｃ１と別個に、６面体の箱状体Ｃ２´を使用して基本構造部分Ｃ１に囲まれた空間にはめ込むことで高機能化を得るので、かかる箱状体を工場で生産しておくことで、現場では簡単な嵌め込み作業で能率よく施工でき、さらに、破損したり性能が低下した場合、その箱状体Ｃ２´を交換することで機能を再生することができるなどのすぐれた効果が得られる。
請求項５によれば、花粉の減少した加熱空気を生成することができるというすぐれた効果が得られる。
【００６１】
請求項６によれば、花粉の除去を簡単な構造で確実に行うことができるというすぐれた効果が得られる。
請求項７によれば、加熱された空気の室内への誘導を簡単にかつベランダなどの外観を損なわずに行えるというすぐれた効果が得られる。
請求項８によれば、前記請求項１ないし７のいずれかの効果に加え、加熱空気を生成し、それが結露などの防止上室温との関係で適切なものになったときに自動的に室内に導入して放出させることができ、快適な室内環境を創成できるというすぐれた効果が得られる。
請求項９によれば、前記請求項１ないし７のいずれかの効果に加え、加熱空気を生成して室内に導入して快適な室内環境を創成でき、しかも室内に導入して放出させるためのファンの駆動電力にコストがかからないので、経済的なものとなるというすぐれた効果が得られる。
【図面の簡単な説明】
【図１】本発明による高機能手摺をベランダに適用した例を示す説明図である。
【図２】  (ａ)は本発明による高機能手摺の第一実施例を示す正面図、(ｂ)はその断面図である。
【図３】図２(ａ)の部分切欠一部拡大図である。
【図４】  (ａ)は図３の断面図、(ｂ)は(ａ)の下部部分の拡大図である。
【図５】  (ａ)は第一実施例の別の態様を示す断面図、(ｂ)は部分切欠正面図である。
【図６】  (ａ)は第一実施例の別の態様を示す断面図、(ｂ)は部分的な底面図である。
【図７】  (ａ)（ｂ）（ｃ）は空気加熱空間を内在させる面状構造部分の部材取り合い例を示す部分的断面図である。
【図８】  (ａ)は第一実施例の設置例と加熱空気の誘導例を示す断面図、（ｂ）はその正面図である。
【図９】第一実施例の設置例と加熱空気の誘導例を示す断面図である。
【図１０】  (ａ)は第一実施例の設置例と加熱空気の誘導例を示す断面図、（ｂ）はその斜視図である。
【図１１】（ａ）、（ｂ）は本発明による高機能手摺の第二実施例を示す正面図である。
【図１２】  (ａ)は図１１（ａ）の部分切欠部分拡大図、(ｂ)はその断面図である。
【図１３】第二実施例の別の態様を示す正面図である。
【図１４】  (ａ)は図１３の部分拡大図、(ｂ)はその断面図である。
【図１５】（ａ）（ｂ）（ｃ）は第二実施例における外気取入れ部の例を示す断面図である。
【図１６】第一実施例と第二実施例の他の設置例を示す断面図である。
【図１７】本発明による高機能手摺の第三実施例をベランダに適用した場合で示す説明図である。
【図１８】第三実施例の背面図である。
【図１９】本発明による高機能手摺を屋上や窓に適用した例を示す説明図である。
【図２０】  (ａ)(ｂ)(ｃ)は高機能手摺を屋上に設置した場合の設置態様を示す側面図である。
【図２１】  (ａ)(ｂ)(ｃ)は高機能手摺を窓に設置した場合の設置態様を示す側面図である。
【図２２】本発明による発電付加方高機能手摺を屋上や窓に適用した例を示す説明図である。
【符号の説明】
１  柱
２  上桟
３  下桟
５  外側板
６  内側板
６’  太陽電池を有する内側板
７  加熱用の空間部
８  外気取入れ部
８ａ  花粉類除去機構
９  誘導部
Ｃ１  基本構造部分
Ｃ２  面状構造部分
Ｃ2’  箱状体
C3  取り出し部
Ｅ  ファン
Ｈ  温度センサー
８０  開口
８２  衝板
８３  液の収容部
【図１】
0003859519.tif 000002
【図２】
0003859519.tif 000003
【図３】
0003859519.tif 000004
【図４】
0003859519.tif 000005
【図５】
0003859519.tif 000006
【図６】
0003859519.tif 000007
【図７】
0003859519.tif 000008
【図８】
0003859519.tif 000009
【図９】
0003859519.tif 000010
【図１０】
0003859519.tif 000011
【図１１】
0003859519.tif 000012
【図１２】
0003859519.tif 000013
【図１３】
0003859519.tif 000014
【図１４】
0003859519.tif 000015
【図１５】
0003859519.tif 000016
【図１６】
0003859519.tif 000017
【図１７】
0003859519.tif 000018
【図１８】
0003859519.tif 000019
【図１９】
0003859519.tif 000020
【図２０】
0003859519.tif 000021
【図２１】
0003859519.tif 000022
【図２２】
0003859519.tif 000023